(57)【要約】【課題】  簡便にデータを収集することが可能でありながら、より精緻に解析を行うことができる新たなコンジョイント分析を提案する。【解決手段】  コンジョイント分析システムは、被験者が操作する少なくとも１つ以上の被験者端末機１０と、コンジョイント分析を行うサーバ装置２０とを備える。サーバ装置２０は、被験者に対して提示された複数のプロファイルのうち任意数のプロファイルに対して当該被験者によって選択された選好順位及び選好度に基づいて購買確率を求め、多項ロジット・モデルを用いたロジスティック回帰を行うことによってコンジョイント分析を行う。したがって、コンジョイント分析システムにおいては、被験者に大きな負担を強いることがなく、プロファイル間の選好度の差を適切に反映したより精緻な解析を行うことができる。【選択図】  図３
2005316756.tif 000002
【特許請求の範囲】
【請求項１】
コンジョイント分析を行うコンジョイント分析システムであって、
被験者が操作する少なくとも１つ以上の被験者端末機と、
上記被験者に対して提示された複数のプロファイルのうち任意数のプロファイルに対して当該被験者によって選択された選好順位及び選好度に基づいて購買確率を求め、多項ロジット・モデルを用いたロジスティック回帰を行うことによってコンジョイント分析を行うサーバ装置とを備えること
を特徴とするコンジョイント分析システム。
【請求項２】
上記サーバ装置は、作成したプロファイルを上記被験者端末機に対して送信して表示画面に表示させ、上記被験者に対して当該プロファイルを提示し、上記任意数のプロファイルに関する回答としての選好順位及び選好度が上記被験者端末機から送信されるのに応じて、当該プロファイルに関する回答を取得すること
を特徴とする請求項１記載のコンジョイント分析システム。
【請求項３】
上記サーバ装置は、取得した各プロファイルの選好度の合計が所定数となるように変換して変換選好度を算出すること
を特徴とする請求項２記載のコンジョイント分析システム。
【請求項４】
上記サーバ装置は、上記変換選好度の指数を算出し、算出した選好度の指数に基づいて、購買確率を算出すること
を特徴とする請求項３記載のコンジョイント分析システム。
【請求項５】
上記サーバ装置は、上記変換選好度の指数を累積してその累積値を算出し、上記選好度の指数と上記累積値とに基づいて、購買確率を算出すること
を特徴とする請求項４記載のコンジョイント分析システム。
【請求項６】
上記サーバ装置は、選好数の累積値と上記被験者から回答があった回答数とに基づいて、従属変数を算出すること
を特徴とする請求項５記載のコンジョイント分析システム。
【請求項７】
上記サーバ装置は、上記従属変数に基づいて、購買確率を算出すること
を特徴とする請求項６記載のコンジョイント分析システム。
【請求項８】
上記サーバ装置は、所望の説明変数を展開し、展開した上記説明変数と算出した上記従属変数とに基づいて、各種効用値を求め、分析結果として作成すること
を特徴とする請求項７記載のコンジョイント分析システム。
【請求項９】
上記サーバ装置は、上記分析結果を表示手段に表示させること
を特徴とする請求項８記載のコンジョイント分析システム。
【請求項１０】
コンジョイント分析を行うコンジョイント分析方法であって、
作成したプロファイルを被験者に対して提示する工程と、
上記被験者に対して提示された複数のプロファイルのうち任意数のプロファイルに対して当該被験者によって選択された選好順位及び選好度を回答として取得する工程と、
取得した選好順位及び選好度に基づいて購買確率を求め、多項ロジット・モデルを用いたロジスティック回帰を行うことによってコンジョイント分析を行う工程とを備えること
を特徴とするコンジョイント分析方法。
【請求項１１】
コンジョイント分析を行うコンピュータ実行可能なコンジョイント分析プログラムであって、
作成したプロファイルを被験者に対して提示する処理と、
上記被験者に対して提示された複数のプロファイルのうち任意数のプロファイルに対して当該被験者によって選択された選好順位及び選好度を回答として取得する処理と、
取得した選好順位及び選好度に基づいて購買確率を求め、多項ロジット・モデルを用いたロジスティック回帰を行うことによってコンジョイント分析を行う処理とを備えること
を特徴とするコンジョイント分析プログラム。
【請求項１２】
コンジョイント分析を行うサーバ装置であって、
被験者に対して提示した複数のプロファイルのうち任意数のプロファイルに対して当該被験者によって選択された選好順位及び選好度を回答として取得する取得手段と、
上記取得手段によって取得した選好順位及び選好度に基づいて購買確率を求め、多項ロジット・モデルを用いたロジスティック回帰を行うことによってコンジョイント分析を行う分析処理手段とを備えること
を特徴とするサーバ装置。
【請求項１３】
上記被験者が操作する少なくとも１つ以上の被験者端末機との間で通信を行う通信手段と、
作成したプロファイルを上記被験者端末機に対して上記通信手段を介して送信して表示画面に表示させ、上記被験者に対して当該プロファイルを提示する提示手段とを備え、
上記通信手段は、回答としての選好順位及び選好度を上記被験者端末機から上記通信手段を介して受信すること
を特徴とする請求項１２記載のサーバ装置。
【発明の詳細な説明】
【技術分野】
【０００１】
本発明は、いわゆるコンジョイント分析を行うコンジョイント分析システム、コンジョイント分析方法、及びコンジョイント分析プログラム、並びにコンジョイント分析システムに用いられるサーバ装置に関する。
【背景技術】
【０００２】
従来から、マーケティング・リサーチにおいては、商品のコンセプトを設計するに際して、いわゆるコンジョイント分析を用いることが多い。コンジョイント分析とは、プロファイル（仮想製品）についてアンケート調査を実施し、被験者から得られたアンケート調査の回答に基づいて選好順位を分析し、この選好順位に基づいて、商品の評価要因毎の効用値を求める手法である。
【０００３】
このようなコンジョイント分析を用いた技術としては、例えば特許文献１に記載されたものがある。
【０００４】
【特許文献１】特開２００３−９９５８７号公報
【０００５】
具体的には、特許文献１には、製品の開発を支援する製品開発支援方法が開示されている。特に、この製品開発支援方法は、製品の所定の性能の向上に対する効用値を算出する効用値算出工程と、この効用値算出工程によって算出された効用値から、製品の所定の性能の向上に対する顧客の追加支払意思額を算出する追加支払意思額算出工程と、この追加支払意思額算出工程によって算出された追加支払意思額から所定の性能の向上に対する顧客の追加支払意思額の総額を算出し、この追加支払意思額の総額と製品開発にともなう費用とを比較して、製品開発の適否を予測する予測工程とを備えるものである。そして、この製品開発支援方法においては、効用値算出工程にてコンジョイント分析を用いている。これにより、この製品開発支援方法においては、製品開発の判断材料を提示し、新製品の開発を支援することができるとしている。
【発明の開示】
【発明が解決しようとする課題】
【０００６】
ところで、上述したプロファイルを被験者に対して提示して選好順位を付与してもらう従来型コンジョイント分析においては、選好順位が低くなるほどその順位を付与するほどに差異がある場合が少なくなり、回答が困難となりがちとなることから、選択の基準について被験者の負担が大きいという問題があった。
【０００７】
これに対して、三者択一や四者択一といった複数選択肢からの選択に基づく選択型コンジョイント分析が提案されている。かかる選択型コンジョイント分析においては、被験者の回答として、複数のプロファイルの中から最も好ましいプロファイルを１つだけ選択してもらえばよいことから、従来型コンジョイント分析に比べ、選択の基準について被験者の負担が低いという利点がある。また、選択型コンジョイント分析は、需要関数を導出することができることから利便性が高く、これにともない、近年では従来型コンジョイント分析を凌ぐ勢いで多用されつつある。
【０００８】
しかしながら、この選択型コンジョイント分析は、プロファイルを記述した被験者に対して提示するカードが多数となり、１人の被験者が全てのカードについて回答することが困難となる。例えば、選択型コンジョイント分析においては、９つのプロファイルから３つのプロファイルを組み合わせる場合には、１人の被験者が９Ｃ３＝８４枚のカードについて回答する必要がある。
【０００９】
そのため、選択型コンジョイント分析においては、通常、全てのカードの中から１２枚乃至１４枚程度のカードをランダムに選択し、これを被験者１人に回答させるカードとすることが多い。しかしながら、選択型コンジョイント分析においては、例えば１４枚のカードを被験者１人に回答させるカードとした場合には、分析に必要な１単位分である全８４枚のカードの回答を得るために、６人の被験者を必要とすることになり、被験者数が増大するという問題がなお存在する。
【００１０】
これに対して、"Louviere. J. J., D. A. Hensher, and J. D. Swait:『Stated Choice Methods』4.5「Design strategies for simple SP experiments」、Cambridge University Press, 2000, pp96−110"に記載されているように、所望のプロファイルをＹＥＳ＝１とするとともに所望でないプロファイルをＮＯ＝０とすることによって２値データを取得し、これを用いてロジスティック回帰を行う簡易的なコンジョイント分析が提案されている。この文献において、Louviere. J. J.等は、航空チケットを例とした２値データによるロジスティック回帰によるコンジョイント分析を紹介している。この例では、料金、出発時間、所要時間、乗り換えの有無、座席付設オーディオの有無、座席付設ビデオの有無、食事の有無、航空会社２社という、２値をとり得る８種類の項目を属性及び水準として設定した１６個のプロファイルを使用している。
【００１１】
しかしながら、かかる２値データを用いるコンジョイント分析においては、選択されたプロファイルが全て一律に"１（購入）"とカウントされてしまうことから、プロファイル間の選好度の差が生じないことになる。すなわち、かかるコンジョイント分析においては、プロファイル間の選好順位に関する情報を得ることができず、これに起因して、精緻な解析を行うことができないおそれがある。
【００１２】
本発明は、このような実情に鑑みてなされたものであり、簡便にデータを収集することが可能でありながら、より精緻に解析を行うことができるコンジョイント分析システム、コンジョイント分析方法、及びコンジョイント分析プログラム、並びにコンジョイント分析システムに用いられるサーバ装置を提供することを目的とする。
【課題を解決するための手段】
【００１３】
上述した目的を達成する本発明にかかるコンジョイント分析システムは、コンジョイント分析を行うコンジョイント分析システムであって、被験者が操作する少なくとも１つ以上の被験者端末機と、上記被験者に対して提示された複数のプロファイルのうち任意数のプロファイルに対して当該被験者によって選択された選好順位及び選好度に基づいて購買確率を求め、多項ロジット・モデルを用いたロジスティック回帰を行うことによってコンジョイント分析を行うサーバ装置とを備えることを特徴としている。
【００１４】
このような本発明にかかるコンジョイント分析システムにおいては、被験者によって選択された各プロファイルに対する選好度に基づいて購買確率を求め、多項ロジット・モデルを用いたロジスティック回帰を行うことから、被験者に大きな負担を強いることがなく、プロファイル間の選好度の差を適切に反映したより精緻な解析を行うことができる。
【００１５】
また、上記サーバ装置は、作成したプロファイルを上記被験者端末機に対して送信して表示画面に表示させ、上記被験者に対して当該プロファイルを提示し、上記任意数のプロファイルに関する回答としての選好順位及び選好度が上記被験者端末機から送信されるのに応じて、当該プロファイルに関する回答を取得する。これにより、本発明にかかるコンジョイント分析システムにおいては、被験者に対するプロファイルの提示、及び当該プロファイルに関する回答の取得を極めて容易に行うことができる。
【００１６】
具体的には、上記サーバ装置は、取得した各プロファイルの選好度の合計が所定数となるように変換して変換選好度を算出するとともに、この変換選好度の指数を算出し、算出した選好度の指数に基づいて、購買確率を算出する。このとき、上記サーバ装置は、上記変換選好度の指数を累積してその累積値を算出し、上記選好度の指数と上記累積値とに基づいて、購買確率を算出する。より具体的には、上記サーバ装置は、選好数の累積値と上記被験者から回答があった回答数とに基づいて、従属変数を算出し、この従属変数に基づいて、購買確率を算出する。
【００１７】
そして、上記サーバ装置は、所望の説明変数を展開し、展開した上記説明変数と算出した上記従属変数とに基づいて、各種効用値を求め、分析結果として作成することができる。上記サーバ装置は、この分析結果を表示手段に表示させることも可能である。
【００１８】
また、上述した目的を達成する本発明にかかるコンジョイント分析方法は、コンジョイント分析を行うコンジョイント分析方法であって、作成したプロファイルを被験者に対して提示する工程と、上記被験者に対して提示された複数のプロファイルのうち任意数のプロファイルに対して当該被験者によって選択された選好順位及び選好度を回答として取得する工程と、取得した選好順位及び選好度に基づいて購買確率を求め、多項ロジット・モデルを用いたロジスティック回帰を行うことによってコンジョイント分析を行う工程とを備えることを特徴としている。
【００１９】
さらに、上述した目的を達成する本発明にかかるコンジョイント分析プログラムは、コンジョイント分析を行うコンピュータ実行可能なコンジョイント分析プログラムであって、作成したプロファイルを被験者に対して提示する処理と、上記被験者に対して提示された複数のプロファイルのうち任意数のプロファイルに対して当該被験者によって選択された選好順位及び選好度を回答として取得する処理と、取得した選好順位及び選好度に基づいて購買確率を求め、多項ロジット・モデルを用いたロジスティック回帰を行うことによってコンジョイント分析を行う処理とを備えることを特徴としている。
【００２０】
このような本発明にかかるコンジョイント分析方法及びコンジョイント分析プログラムにおいては、被験者によって選択された各プロファイルに対する選好度に基づいて購買確率を求め、多項ロジット・モデルを用いたロジスティック回帰を行うことから、被験者に大きな負担を強いることがなく、プロファイル間の選好度の差を適切に反映したより精緻な解析を行うことが可能となる。
【００２１】
さらにまた、上述した目的を達成する本発明にかかるサーバ装置は、コンジョイント分析を行うサーバ装置であって、被験者に対して提示した複数のプロファイルのうち任意数のプロファイルに対して当該被験者によって選択された選好順位及び選好度を回答として取得する取得手段と、上記取得手段によって取得した選好順位及び選好度に基づいて購買確率を求め、多項ロジット・モデルを用いたロジスティック回帰を行うことによってコンジョイント分析を行う分析処理手段とを備えることを特徴としている。
【００２２】
このような本発明にかかるサーバ装置においては、被験者から取得した各プロファイルに対する選好度に基づいて購買確率を求め、多項ロジット・モデルを用いたロジスティック回帰を行うことにより、被験者に大きな負担を強いることがなく、プロファイル間の選好度の差を適切に反映したより精緻な解析を行うことができる。
【００２３】
また、本発明にかかるサーバ装置は、上記被験者が操作する少なくとも１つ以上の被験者端末機との間で通信を行う通信手段と、作成したプロファイルを上記被験者端末機に対して上記通信手段を介して送信して表示画面に表示させ、上記被験者に対して当該プロファイルを提示する提示手段とを備え、上記通信手段は、回答としての選好順位及び選好度を上記被験者端末機から上記通信手段を介して受信する。これにより、本発明にかかるサーバ装置においては、被験者に対するプロファイルの提示、及び当該プロファイルに関する回答の取得を極めて容易に行うことができる。
【発明の効果】
【００２４】
本発明においては、被験者から取得した各プロファイルに対する選好度に基づいて購買確率を求め、多項ロジット・モデルを用いたロジスティック回帰を行うことにより、被験者に大きな負担を強いることがなく、プロファイル間の選好度の差を適切に反映したより精緻な解析を行うことができる。このとき、本発明においては、被験者が行うべき回答として、全てのプロファイルについて行う必要はなく、任意数の選好順位の付与と選好度の付与のみであることから、当該被験者の負担を著しく軽減することができる。また、本発明においては、効用値の差を計測することができるとともに、需要関数も求めることができ、また、分析結果がより精緻であることから、極めて高い利便を分析者に提供することができる。
【発明を実施するための最良の形態】
【００２５】
以下、本発明を適用した具体的な実施の形態について図面を参照しながら詳細に説明する。
【００２６】
この実施の形態は、いわゆるコンジョイント分析を行うコンジョイント分析システムである。特に、このコンジョイント分析システムは、購買確率を求めることができるいわゆる多項ロジット・モデルを利用した全く新たなコンジョイント分析を行うものである。
【００２７】
まず、本発明の理解を容易とすべく、コンジョイント分析システムの具体的な説明に先だって、多項ロジット・モデルの基礎となるロジスティック・モデルと、本発明にて新たに提案する多項ロジット・モデルを利用したコンジョイント分析の概念について説明する。
【００２８】
ロジスティック・モデルは、誤差項の確率分布がロジスティック分布であるものとし、次式（１）で表される当該ロジスティック分布の累積分布関数を用いて、従属変数Ｙｉ＝１となる確率を次式（２）とするモデルである。なお、次式（１）におけるｐ＊は、（ｒ＋０．５）／（ｎ＋１．０）である。また、ｒ，ｎは、それぞれ、後述するパラメータである。
【００２９】
【数１】
2005316756.tif 000003
【００３０】
【数２】
2005316756.tif 000004
【００３１】
ここで、ロジスティック回帰について説明するために、所定のガラス製品の強度を測定するために衝撃の強さを徐々に大きくしていったときの破壊個数を求める破壊テストを考える。かかる破壊テストの結果は、衝撃の強さが小さいときにはガラス製品がほとんど破壊することはないが、衝撃の強さを大きくしていくのにともない破壊個数も増えていき、衝撃の強さが所定値以上になると破壊個数の割合が略１００％になる、というものになる。このような衝撃の強さと破壊個数との関係をグラフとして表すと、Ｓ字型（シグモイド曲線）を呈することになる。このとき、ガラス製品が破壊される確率をｐとし、ｐ／（１−ｐ）の値を対数に変換すると、Ｓ字型の曲線は、直線に変換されることから、回帰分析を行うことが可能となる。ロジスティック回帰は、このような変換を行うことによって回帰分析を行う手法である。
【００３２】
これを具体的に説明するために、９回の破壊テストを行った結果を次表１に示す。ここで、ｒは、破壊個数を示し、ｎは、検査個数を示している。この破壊個数ｒ及び検査個数ｎについて、（ｒ＋０．５）／（ｎ＋１．０）＝ｐ＊とし、次式（３）に示すように、ｐ＊／（１−ｐ＊）の対数をとってロジット変換する。そして、このｚ＊について、従属変数をＹとするとともに、説明変数（衝撃の強さ）をＸとして回帰分析を行う。なお、次表１において、ａ＝ｒ＋０．５とするとともに、ｂ＝ｎ−ｒ＋０．５とし、値ａ／ｂを求めているが、これは、（ｒ＋０．５）／（ｎ＋１）＝ｐ＊としたときのｚ＝ｐ＊／（１−ｐ＊）と値ａ／ｂとが同値となることによるものである。
【００３３】
【表１】
2005316756.tif 000005
【００３４】
【数３】
2005316756.tif 000006
【００３５】
ここで、コンジョイント分析においては、ｒとすべきパラメータは、破壊個数ではなく、被験者の購買確率となる。"Louviere, J. J., D. A. Hensher, and J. D. Swait:『Stated Choice Methods』4.5「Design strategies for simple SP experiments」、Cambridge University Press, 2000, pp96−110"において提案されているコンジョイント分析は、このパラメータｒを購買確率とし、所望のプロファイルを購入とする場合には、ｒ＝１とする手法である。しかしながら、この手法においては、破壊テストと同様に、購入を所望して選択されたプロファイルが全て"１"とカウントされることから、プロファイル間の選好度の差が生じない。
【００３６】
そこで、本発明にて新たに提案するコンジョイント分析においては、多項ロジット・モデルを利用してパラメータｒを求める。この多項ロジット・モデルは、次式（４）に示すように、選好度ｕが大きくなるのにともない、購買確率Ｐが指数関数的に大きくなるというモデルである。
【００３７】
【数４】
2005316756.tif 000007
【００３８】
例えば、選好度ｕがそれぞれ"５"，"３"，"２"である３つの商品Ａ，Ｂ，Ｃがあるものとし、これら商品を１０回購入することを考える。この場合、購入回数は、選好度に比例して、商品Ａについて５回、商品Ｂについて３回、商品Ｃについて２回となることはほとんどない。むしろ、次表２に示すように、最も選好度が高い商品Ａの購買確率が他の商品Ｂ，Ｃの購買確率に比べてはるかに高くなるという結果の方が、現実の消費活動を鑑みて妥当であるものと考えられる。このように、多項ロジット・モデルは、直感的に受け入れやすいモデルである。
【００３９】
【表２】
2005316756.tif 000008
【００４０】
このように、本発明は、多項ロジット・モデルを用いたロジスティック回帰を行うことにより、コンジョイント分析を行うものである。本件出願人は、この新たな多項ロジット・モデルを利用したコンジョイント分析の有効性を検証するために、以下のような調査を行った。
【００４１】
この調査は、「納豆」の食味試験の際に、２０代から６０代の各年齢階層に略同人数ずつ属する総勢５２名の消費者モニターを被験者として行った。
【００４２】
まず、多項ロジット・モデルの有効性を検証するために、これら被験者に対して、次表３に示すような所定のアンケート用紙に、「普段購入している、若しくは購入したことがある納豆のブランド」を２つから３つ記入してもらい、選好順位が１位であるブランドの選好度を"１０"として、これを基準に選好順位が２位及び／又は３位のブランドについて任意に選好度を記入してもらった。さらに、１０回納豆を購入しようとした際に、記入したブランドの納豆を実際に購入している回数を取得した。そして、この調査に基づいて、予測購買確率を求めると、次表４に示すような結果が得られた。なお、予測購買確率は、まず、次表４に示すように、各ブランドについて取得した選好度ｕｉの合計が例えば１０点といった所定数となるように変換して変換選好度ｕｊを求め、この変換選好度ｕｊの指数ｕｋ＝ｅｘｐ（ｕｊ）に基づいて、予測購買確率を求めた。
【００４３】
【表３】
2005316756.tif 000009
【００４４】
【表４】
2005316756.tif 000010
【００４５】
そして、実際の購買確率をＹｉとするとともに、予測購買確率をＸｉとして直線回帰を行うと、図１に示すような結果が得られた。同図から、相関値がＲ＝０．８６、Ｒ２＝０．７４となり、この多項ロジット・モデルの有効性を確認することができた。
【００４６】
つぎに、コンジョイント分析で対象とする納豆は、１００ｇ入りのもの１パックとした。また、プロファイルとして記述する属性と水準は、３種類の価格（６０円、１００円、１４０円）、２種類の産地（外国産、国産）、３種類の粒の大きさ（小粒、中粒、大粒）、２種類の大豆品種（普通大豆、黒大豆）の、４属性３・２・３・２水準とした。そして、直交計画によって次表５に示すような９つのプロファイルを作成した。このとき、価格については、以下のようにして設定した。すなわち、生鮮野菜や納豆のように比較的低価格の商品について消費者が「高い」と感じ始める価格は、平均的な小売価格のおよそ１．２倍であり、「高すぎて買わない」と思い始める価格は、平均的な小売価格のおよそ１．５倍である。そこで、やや「高すぎて買わない」の方に重みを付与し、平均的な小売価格である１００円を基準としたとき、その１．４倍である１４０円を高い価格として設定し、基準値である１００円に対してこれと同じ幅をとって６０円を安い価格として設定した。
【００４７】
【表５】
2005316756.tif 000011
【００４８】
まず、被験者が回答しやすくするために、上表５に示すように、当該被験者に、９つのプロファイルのうち、購入してもよいと思うプロファイルの順に１位〜３位又は１位〜４位について選好順位を付与してもらった。なお、このコンジョイント分析においては、ここで何番まで選好順位を付与するかは任意でよい。続いて、選好順位を付与したプロファイルの１位を１０点とし、それを基準として、２位以下のプロファイルに点数を記入してもらった。そして、各回答用紙から取得された情報を用いて、上表４に示した多項ロジット・モデルの手続きにしたがってプロファイル毎の購買確率を求め、５２名の被験者全員分のデータを累積したものを、各プロファイルのｒとして算出した。回帰式は、次式（５）で表される。
【００４９】
【数５】
2005316756.tif 000012
【００５０】
なお、上式（５）において、Ｃは、定数項であり、Ｘ１は、価格であり、Ｘ２は、産地が外国産であることを示す外国産ダミー係数であり、Ｘ３は、粒の大きさを示す大きさダミー係数であり、Ｘ４は、黒大豆であることを示す黒大豆ダミー係数である。また、大きさダミー係数Ｘ３のうち、Ｘ３１は、小粒ダミー係数であり、Ｘ３２は、中粒ダミー係数である。すなわち、この回帰式は、プロファイル間の選好度の差を示す重み付けがなされたものであるといえる。なお、上式（５）においては、大粒ダミー係数が設けられていないが、これは、小粒ダミー係数＝Ｘ３１とし、中粒ダミー係数＝Ｘ３２とし、大粒ダミー係数＝Ｘ３３とすると、これら３つの係数の間にＸ３１＋Ｘ３２＋Ｘ３３＝１という線形関係が成立し、このままでは多重共線性のために解が定まらないことによるものであり、これにより、大粒ダミー係数は設けずに削除している。このとき、大粒の予測値は、求められた係数をＸ３１＝Ｘ３２＝０とすることによって算出することができる。
【００５１】
さて、上述した"Louviere, J. J., D. A. Hensher, and J. D. Swait:『Stated Choice Methods』4.5「Design strategies for simple SP experiments」、Cambridge University Press, 2000, pp96−110"において提案されているコンジョイント分析と比較するために、累積購買確率の他に、破壊テストと同様に選択された、すなわち、被験者によって順位付けされたプロファイルの選好度を"１"とカウントしたときの累積度数をも従属変数として算出した。次表６に、多項ロジット・モデルによって与えられた各プロファイルの累積購買確率と、順位付けされたプロファイルの選好度を"１"とカウントしたときの累積度数とを示す。
【００５２】
【表６】
2005316756.tif 000013
【００５３】
これら累積購買確率及び累積度数に基づいて係数を算出した結果、次表７及び次表８が得られた。次表７は、累積購買確率に基づく係数の算出結果を示し、次表８は、累積度数に基づく係数の算出結果を示している。累積度数に基づく算出結果は、産地ダミー係Ｘ２を除く全ての係数のｔ値が小さく、Ｐ値も有意とはいえない係数が多い。これにより、被験者によって順位付けされたプロファイルの選好度を"１"とカウントしたときの累積度数は、モデルの当てはまりが悪いことがわかる。一方、累積購買確率に基づく算出結果は、中粒ダミー係数Ｘ３２と大豆の品種ダミー係数Ｘ４のｔ値がやや小さく、Ｐ値も有意とはいえないものの、概ね良好な結果が得られた。
【００５４】
【表７】
2005316756.tif 000014
【００５５】
【表８】
2005316756.tif 000015
【００５６】
係数を参照すると、双方の結果とも、産地が外国産であるものは国産に比べて大幅に人気がなく、粒の大きさや品種については、小粒、中粒、黒大豆、大粒の順に選好されていることがわかる。上式から求めた従属変数Ｙを次式（６）を用いて購買確率Ｐに変換する。この場合、「購買する」を"１"とするとともに「購買しない」を"０"とする２値データによる２項ロジット・モデルとなる。
【００５７】
【数６】
2005316756.tif 000016
【００５８】
双方の算出結果から、１万の購買世帯があったときにおける国産、小粒、黒大豆からなる納豆の予測購買世帯数を、求められた累積度数と累積購買確率との双方の係数に基づいて算出した。これを図２に示す。方法は、累積購買確率を例にすると、上式（５）から導出されるＹ＝−１．３２８−０．００９Ｘ１＋０．６７６＋０．３７７の係数Ｘ１に、１円から４００円までの価格を代入してＹを求め、上式（６）によって求めた購買確率Ｐに対して１００００を乗じるものである。累積購買確率の結果は、購買世帯数がかなり抑制された予測値となるが、累積度数の結果は、購買世帯数が極めて多く計測されるものとなった。これは、累積度数を用いる方法は、データが冗長である分、計算結果も冗長になることを意味しており、これにより、累積購買確率を求めることができる多項ロジット・モデルを利用した本コンジョイント分析の有効性が示された。
【００５９】
なお、求められた係数の利用方法について説明すると、以下のようになる。ここでは、累積購買確率の分析結果を例として、係数の利用方法について説明する。
【００６０】
まず、求められた計測式は、次式（７）である。次式（７）における係数を利用して、黒大豆と普通大豆の効用値を算出することを試みる。
【００６１】
【数７】
2005316756.tif 000017
【００６２】
国産、小粒、黒大豆、１００円のときの従属変数Ｙは、Ｙ＝−１．３２８−０．００９×１００＋０．６７６＋０．３７７＝−１．１７５となる。一方、国産、小粒、普通大豆、Ｘ１円のときの従属変数Ｙは、Ｙ＝−１．３２８−０．００９Ｘ１＋０．６７６となる。ここで、黒大豆と普通大豆の価格差を求めるために、−１．１７５＝−１．３２８−０．００９Ｘ１＋０．６７６とおき、国産、小粒、黒大豆、１００円のときの従属変数Ｙ＝−１．１７５に相当するＸ１を求めると、Ｘ１＝５８．１となる。
【００６３】
したがって、黒大豆が１００円であるとき、普通大豆は５８．１円となる。すなわち、黒大豆は、普通大豆よりも４１．９円高く評価されたことになる。この価格差が効用値の差となる。同様にして、小粒１００円であるときの中粒の価格を求めると７６．２円となる。
【００６４】
これに対して、累積度数の係数に基づいて、黒大豆と普通大豆の価格差、小粒と中粒の価格差を算出することを試みる。同様の計算を行った結果、累積度数においては、黒大豆が１００円であるとき、普通大豆は６７．７円となり、小粒が１００円であるとき、中粒は９６円となる。このように、累積度数を用いた場合には、価格差が小さくなり、分析の精度が低いことが伺える。
【００６５】
このように、多項ロジット・モデルを利用したコンジョイント分析は、被験者によって選択された各プロファイルに対する選好度に基づいて購買確率を求め、ロジスティック回帰を行うことにより、上述したLouviere. J. J.等が紹介したロジスティック回帰を利用したコンジョイント分析に比べ、被験者に大きな負担を強いることなくより精緻な解析を行うことができるものである。
【００６６】
また、この多項ロジット・モデルを利用したコンジョイント分析で用いる計算方法は、回帰分析であることから、例えばマイクロソフト（登録商標）社が提供する表計算ソフトウェアであるエクセル（Excel）の分析ツールを用いて計算することも可能である。なお、ロジスティック回帰分析においては、上述したｚ＊の等分散性の仮定が満たされないことから、重み付き最小２乗法を用いる方が厳密ではあるものの、実際の計算結果に大差は生じないことから、何ら問題はない。
【００６７】
このように、多項ロジット・モデルを利用したコンジョイント分析は、データ取得の簡便さや、計算の容易さ等の観点から、より現場に近い関係者にも普及しやすい手法であるといえる。
【００６８】
このようなコンジョイント分析は、従来のように、プロファイルを記述したカードを被験者に対して提示して行うことができるのは勿論であるが、パーソナルコンピュータをはじめとする各種情報処理装置を用いて行うこともできる。以下では、このような各種情報処理装置を用いてコンジョイント分析を行うコンジョイント分析システムについて、具体的に説明するものとする。
【００６９】
コンジョイント分析システムは、図３に示すように、被験者が操作する少なくとも１つ以上の被験者端末機１０が、いわゆるインターネット等の所定のネットワークを介してコンジョイント分析を行うサーバ２０に接続されて構成される。
【００７０】
被験者端末機１０は、例えば、パーソナルコンピュータの他、携帯電話機や携帯情報端末機（Personal Digital Assistants；ＰＤＡ）といった各種情報処理装置から構成される。被験者端末機１０は、被験者が、提示された複数のプロファイルのうち任意数のプロファイルに対して選好順位及び選好度を選択するのに応じて、この入力操作を示す情報をサーバ２０に対して送信する。
【００７１】
一方、サーバ２０は、マーケティング・リサーチを行う業者等が所持するものであり、被験者端末機１０から収集したデータに基づいて、コンジョイント分析を行う。具体的には、サーバ２０は、図４に示すように、被験者端末機１０を操作する被験者に対してプロファイルを提示するプロファイル提示部２１と、被験者端末機１０からプロファイルに関する回答を取得するプロファイル取得部２２と、このプロファイル取得部２２によって取得された選好度を上述した変換選好度に変換する選好度変換部２３と、購買確率をはじめとする各種パラメータを算出する算出処理部２４と、説明変数を展開する説明変数展開部２５と、分析結果を作成する分析結果作成部２６と、この分析結果をはじめとする各種情報を表示する表示手段である表示部２７と、各種情報を記憶する記憶部２８と、被験者端末機１０との間で通信を行う通信部２９とを備える。
【００７２】
なお、これら各部のうち、プロファイル提示部２１、プロファイル取得部２２、選好度変換部２３、算出処理部２４、説明変数展開部２５、及び分析結果作成部２６は、ＣＰＵ（Central Processing Unit）によって実行される所定のソフトウェアプログラムとして実装することができる。このうち、プロファイル提示部２１は、作成したプロファイルを被験者端末機１０に対して通信部２９を介して送信して表示画面に表示させ、被験者に対して当該プロファイルを提示する提示手段として構成される。また、プロファイル取得部２２は、被験者に対して提示した複数のプロファイルのうち任意数のプロファイルに対して当該被験者によって選択された選好順位及び選好度を回答として取得する取得手段として構成される。さらに、選好度変換部２３、算出処理部２４、説明変数展開部２５、及び分析結果作成部２６は、取得手段によって取得した選好順位及び選好度に基づいて購買確率を求め、多項ロジット・モデルを用いたロジスティック回帰を行うことによってコンジョイント分析を行う分析処理手段として構成される。さらにまた、通信部２９は、回答としての選好順位及び選好度を被験者端末機１０から受信する通信手段として構成される。
【００７３】
プロファイル提示部２１は、被験者に対してプロファイルを提示する。具体的には、プロファイル提示部２１は、コンジョイント分析を行う分析者の操作のもとにプロファイルを作成し、このプロファイルを通信部２８を介して被験者端末機１０に対して送信して表示画面に表示させることにより、被験者に対してプロファイルを提示する。
【００７４】
プロファイル取得部２２は、通信部２８を介して被験者端末機１０から受信したプロファイルに関する回答を取得する。プロファイル取得部２２は、取得したプロファイルを記憶部２７に一時的に記憶させる。
【００７５】
選好度変換部２３は、プロファイル取得部２２によって取得された各プロファイルの選好度の合計が例えば１０点といった所定数となるように変換して変換選好度を算出する。選好度変換部２３は、算出した変換選好度を記憶部２７に一時的に記憶させる。
【００７６】
算出処理部２４は、選好度変換部２３によって変換された変換選好度に基づいて、購買確率や従属変数をはじめとする各種パラメータを算出する。具体的には、算出処理部２４は、購買確率や従属変数を算出する過程で算出される各種パラメータを記憶部２７に一時記憶させるとともに、最終的に算出した購買確率や従属変数を記憶部２７に記憶させる。
【００７７】
説明変数展開部２５は、算出処理部２４によって購買確率や従属変数が算出されると、効用値を算出するために説明変数を展開する。説明変数展開部２５は、展開した説明変数を記憶部２７に一時記憶させる。
【００７８】
分析結果作成部２６は、説明変数展開部２５によって展開された説明変数と算出処理部２４によって算出された従属変数とに基づいて、各種効用値を求め、分析結果として作成する。例えば、分析結果作成部２６は、先に図１に示したような予測購買確率と実際の購買確率との関係を表すグラフや、先に図２に示したような累積購買確率に基づく予測購買世帯数を表すグラフ等、分析結果を視覚的に把握しやすい形態で、分析者任意に作成することができる。分析結果作成部２６は、分析結果を記憶部２７に記憶させる。
【００７９】
表示部２７は、例えばＬＣＤ（Liquid Crystal Display）といった各種表示デバイスからなるユーザ・インターフェースとして構成され、コンジョイント分析を行う分析者が視認可能な形態で、分析結果作成部２６によって作成された分析結果をはじめとする各種情報を表示する。
【００８０】
記憶部２８は、例えば、上述したＣＰＵによって実行される所定のソフトウェアプログラムを格納する読み取り専用のＲＯＭ（Read Only Memory）や、当該ＣＰＵがソフトウェアプログラムを実行する際のワークエリアとして機能して上述した各種パラメータを一時記憶するＲＡＭ（Random Access Memory）を含む概念である。また、記憶部２８は、例えば、ハードディスクや不揮発性メモリの他、フレキシブルディスクやメモリカード等の記憶媒体に対して各種情報の読み出し及び／又は書き込みを行うドライブ装置等も含まれる概念である。具体的には、記憶部２８は、プロファイル取得部２２によって取得されたプロファイルに関する回答、選好度変換部２３によって変換された変換選好度、算出処理部２４によって算出された各種パラメータ、説明変数展開部２５によって展開された説明変数、及び分析結果作成部２６によって作成された分析結果等の各種情報を、読み出し可能に記憶する。
【００８１】
通信部２９は、例えば、アナログ回線、いわゆるイーサネット（登録商標）等から構成されるＬＡＮ（Local Area Network）、ＩＳＤＮ（Integrated Services Digital Network）、ＡＤＳＬ（Asymmetric Digital Subscriber Line）、若しくはＦＴＴＨ（Fiber To The Home）等の各種ネットワーク回線、ＩＥＥＥ（Institute of Electrical and Electronic Engineers）８０２．１１に準拠した無線ＬＡＮ若しくはいわゆるブルートゥース（Bluetooth（登録商標））等の各種無線通信方式、又はいわゆるＦＯＭＡ（登録商標）等のＷ−ＣＤＭＡ（Wideband-Code Division Multiple Access）方式若しくはＨＤＲ（High Data Rate）等のＣＤＭＡ−２０００方式といった、各種方式に基づくネットワークに接続するためのインターフェースであり、被験者端末機１０との間で通信を行う。具体的には、通信部２９は、プロファイル提示部２１によって作成されたプロファイルを被験者端末機１０に対して送信する一方で、当該プロファイルに関する回答を受信する。
【００８２】
このような各部を備えるサーバ２０は、例えば図５に示すような一連の工程を経ることにより、コンジョイント分析を行う。
【００８３】
まず、サーバ２０は、同図に示すように、ステップＳ１において、プロファイル提示部２１によって被験者に対してプロファイルを提示する。そして、サーバ２０は、プロファイルに関する回答が被験者端末機１０から送信されるのに応じて、ステップＳ２において、プロファイル取得部２２によって当該プロファイルに関する回答を取得する。ここでは、ｎ個のプロファイルに関する回答データｐｒｏｆｉｌｅ（ｎ）を取得したものとする。
【００８４】
続いて、サーバ２０は、ステップＳ３において、選好度変換部２３によって選好度を変換選好度に変換した後、ステップＳ４において、全ての回答データについて処理を行ったか否かを判定する。ここで、サーバ２０は、全ての回答データについて処理を行っていないものと判定した場合には、算出処理部２４によるステップＳ５へと処理を移行する一方で、全ての回答データについて処理を行ったものと判定した場合には、算出処理部２４によるステップＳ１６へと処理を移行する。ここでは、回答データについて何ら処理を行っていないことから、ステップＳ５へと処理を移行する。
【００８５】
サーバ２０は、ステップＳ５において、ｉ＝１と設定した後、ステップＳ６において、ｉ≦ｎであるか否かを判定する。すなわち、サーバ２０は、全ての回答データについて処理を行ったか否かを判定する。
【００８６】
ここで、サーバ２０は、ｉ≦ｎであるものと判定した場合には、ステップＳ７乃至ステップＳ１１の選好数ｒｉの算出を行う。すなわち、サーバ２０は、ステップＳ７において、選好度ｕｉを算出して記憶部２７に一時記憶させた後、ステップＳ８において、この選好度ｕｉの指数ｅｘｐ（ｕｉ）を算出し、これを記憶部２７に一時記憶させる。さらに、サーバ２０は、ステップＳ９において、算出した選好度ｕｉの指数ｅｘｐ（ｕｉ）を累積して累積値Σｅｘｐ（ｕｉ）を記憶部２７に一時記憶させるとともに、ステップＳ１０において、選好数ｒｉを累積して記憶部２７に一時記憶させる。そして、サーバ２０は、ステップＳ１１において、ｉを"１"だけインクリメントした後、ステップＳ６からの処理を繰り返す。
【００８７】
サーバ２０は、このようなステップＳ６乃至ステップＳ１１の処理を繰り返し行い、ステップＳ６において、ｉ＝ｎとなったことを判定すると、ステップＳ１２において、ｉ＝１と設定した後、ステップＳ１３において、ｉ≦ｎであるか否かを判定する。
【００８８】
ここで、サーバ２０は、ｉ≦ｎであるものと判定した場合には、ステップＳ１４において、記憶部２７に一時記憶されている選好度ｕｉの指数ｅｘｐ（ｕｉ）とその累積値Σｅｘｐ（ｕｉ）とを読み出し、確率Ｐｉ＝ｅｘｐ（ｕｉ）／Σｅｘｐ（ｕｉ）を算出する。そして、サーバ２０は、ステップＳ１５において、ｉを"１"だけインクリメントした後、ステップＳ１３からの処理を繰り返す。
【００８９】
サーバ２０は、このようなステップＳ１３及びステップＳ１５の処理を繰り返し行い、ステップＳ１３において、ｉ＝ｎとなったことを判定すると、ステップＳ４からの処理を繰り返す。
【００９０】
サーバ２０は、このようなステップＳ４乃至ステップＳ１５の処理を、全ての回答データについて行うまで繰り返し行い、ステップＳ４において、全ての回答データについて処理を行ったか否かを判定した場合には、ステップＳ１６へと処理を移行する。
【００９１】
サーバ２０は、ステップＳ１６において、ｉ＝１と設定した後、ステップＳ１７において、ｉ≦ｎであるか否かを判定する。
【００９２】
ここで、サーバ２０は、ｉ≦ｎであるものと判定した場合には、ステップＳ１８乃至ステップＳ２０の従属変数Ｙｉ及び購買確率Ｐｉの算出を行う。すなわち、サーバ２０は、ステップＳ１８において、記憶部２７に一時記憶されている選好数ｒｉの累積値と被験者から回答があった回答数ｎとに基づいて、従属変数Ｙｉ＝ｌｏｇ（（ｒｉ＋０．５）／（ｎ−ｒｉ＋０．５））を算出するとともに、ステップＳ１９において、算出した従属変数Ｙｉに基づいて、購買確率Ｐｉ＝ｅｘｐ（Ｙｉ）／（ｅｘｐ（Ｙｉ）＋１）を算出し、これら算出した従属変数Ｙｉ及び購買確率Ｐｉを記憶部２７に記憶させる。そして、サーバ２０は、ステップＳ２０において、ｉを"１"だけインクリメントした後、ステップＳ１７からの処理を繰り返す。
【００９３】
サーバ２０は、このようなステップＳ１７乃至ステップＳ２０の処理を繰り返し行い、ステップＳ１７において、ｉ＝ｎとなったことを判定すると、ステップＳ２１へと処理を移行する。
【００９４】
そして、サーバ２０は、ステップＳ２１において、効用値を算出するために、説明変数展開部２５によって所望の説明変数Ｘを展開し、ステップＳ２２において、分析結果作成部２６によって所望の分析結果を作成し、表示部２７に表示させ、一連の処理を終了する。
【００９５】
サーバ２０は、このような一連の工程を経ることにより、被験者から取得した各プロファイルの選好度及び選好順位に基づいて、コンジョイント分析を行うことができる。
【００９６】
以上説明したように、コンジョイント分析システムは、被験者によって選択された各プロファイルに対する選好度に基づいて購買確率を求め、ロジスティック回帰を行うことにより、上述したLouviere. J. J.等が紹介したロジスティック回帰を利用したコンジョイント分析に比べ、被験者に大きな負担を強いることなくより精緻な解析を行うことができる。このとき、コンジョイント分析システムにおいては、被験者が行うべき回答として、全てのプロファイルについて行う必要はなく、任意数の選好順位の付与と選好度の付与のみであることから、当該被験者の負担を著しく軽減することができる。また、このコンジョイント分析システムにおいては、従来の選択型コンジョイント分析と同様に、効用値の差を計測することができるとともに、需要関数も求めることができ、また、分析結果がLouviere. J. J.等による２値データを用いたロジスティック回帰よりも、より精緻であることから、極めて高い利便を分析者に提供することができる。
【００９７】
なお、本発明は、上述した実施の形態に限定されるものではない。例えば、上述した実施の形態では、プロファイル提示部２１によって作成されたプロファイルを通信部２８を介して被験者端末機１０に対して送信して表示画面に表示させることにより、被験者に対してプロファイルを提示するものとして説明したが、本発明は、かかるプロファイル提示部を設けずに、従来と同様に、プロファイルを記述したカード等を被験者に対して提示し、サーバによって回答のみを収集するようにしてもよい。
【００９８】
また、上述した実施の形態では、分析結果として、先に図１に示したような予測購買確率と実際の購買確率との関係を表すグラフや、先に図２に示したような累積購買確率に基づく予測購買世帯数を表すグラフ等、分析結果を視覚的に把握しやすい形態で作成するものとして説明したが、本発明は、分析者が所望する分析結果であれば、いかなる形態のものであっても作成することができる。
【００９９】
このように、本発明は、その趣旨を逸脱しない範囲で適宜変更が可能であることはいうまでもない。
【図面の簡単な説明】
【０１００】
【図１】多項ロジット・モデルの有効性を検証するために被験者に対して行った調査に基づいて求めた予測購買確率と実際の購買確率との関係を表す図である。
【図２】累積購買確率及び累積度数に基づく予測購買世帯数を表す図である。
【図３】本発明の実施の形態として示すコンジョイント分析システムの構成を説明する図である。
【図４】同コンジョイント分析システムにおけるサーバの構成を説明するブロック図である。
【図５】同コンジョイント分析システムにおけるサーバによってコンジョイント分析を行う際の一連の工程を説明するフローチャートである。
【符号の説明】
【０１０１】
１０  被験者端末機
２０  サーバ
２１  プロファイル提示部
２２  プロファイル取得部
２３  選好度変換部
２４  算出処理部
２５  説明変数展開部
２６  分析結果作成部
２７  表示部
２８  記憶部
２９  通信部
【図１】
2005316756.tif 000018
【図２】
2005316756.tif 000019
【図３】
2005316756.tif 000020
【図４】
2005316756.tif 000021
【図５】
2005316756.tif 000022